【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
ビデオ符号器においてビデオフレームの第１の２次元（２Ｄ）シーケンスを符号化することと、
前記ビデオ符号器を用いて３次元（３Ｄ）変換情報を符号化することと、ここで、前記３Ｄ変換情報は、前記３Ｄ変換情報が、前記第１の２Ｄシーケンスと共に３Ｄビデオデータの立体視ビデオシーケンスを定義する第２の２Ｄシーケンスを生成するために前記第１の２Ｄシーケンスの前記ビデオフレームの各々に適用できる一組のパラメータを含むように、前記第１の２Ｄシーケンスから導出され、それにより、前記３Ｄビデオデータの立体視ビデオシーケンスは前記３Ｄ変換情報および前記第１の２Ｄシーケンスから導出され、前記３Ｄ変換情報は、クロップ領域が前記３Ｄビデオデータから除去されるべきかどうかを識別するフラグを含み、前記クロップ領域を定義する情報は前記フラグが設定されている場合に、前記３Ｄ変換情報に含まれる、
前記符号化された第１の２Ｄシーケンスを前記３Ｄ変換情報とともに伝達することと、
を含む方法。
【請求項２】
前記第１の２Ｄシーケンスを符号化することは、ＩＴＵ Ｈ．２６４ビデオ符号化規格に従って、前記第１の２Ｄシーケンスを符号化することを含み、
前記３Ｄ変換情報を符号化することは、前記ＩＴＵ Ｈ．２６４ビデオ符号化規格によってサポートされる１つまたは複数の補助拡張情報（ＳＥＩ）メッセージ内に前記３Ｄ変換情報を符号化することを含む、請求項１に記載の方法。
【請求項３】
前記３Ｄ変換情報は、前記３Ｄビデオデータを生成するために前記第１の２Ｄシーケンスに適用される３Ｄ変換プロセスを識別する情報を含む、請求項１に記載の方法。
【請求項４】
前記３Ｄ変換情報は、カメラ・パラメータと、前記第１の２Ｄシーケンスのキャプチャに関連する値とを含む、請求項１に記載の方法。
【請求項５】
前記３Ｄ変換情報は、
前記第１の２Ｄシーケンスをキャプチャしたカメラに関連する焦点距離を示す焦点距離値と、
前記３Ｄビデオデータにおける最小深度を指定する近深度値と、
前記３Ｄビデオデータにおける最大深度を指定する遠深度値と、
前記３Ｄビデオデータに関連する２つのカメラ間の仮定距離を定量化する平行移動値と、
を含む、請求項１に記載の方法。
【請求項６】
前記３Ｄ変換情報は、
前記第１の２Ｄシーケンスをキャプチャしたカメラに関連する焦点距離を示す焦点距離値と、
前記３Ｄビデオデータにおける最小深度を指定する近深度値と、
前記３Ｄビデオデータにおける最大深度を指定する遠深度値と、
前記３Ｄビデオデータに関連する２つのカメラ間の仮定距離を定量化する平行移動値と、
収束画像平面から前記２つのカメラまでの仮定距離を定量化する収束深度値と、を含む、請求項１に記載の方法。
【請求項７】
前記３Ｄ変換情報は、３Ｄ変換情報に明示的な一組の３Ｄパラメータが含まれるか又はデフォルトの一組の３Ｄパラメータを使用すべきかを指示するフラグを含む、請求項１に記載の方法。
【請求項８】
前記３Ｄ変換情報は、前記第１の２Ｄシーケンスの第２のビューを前記第１の２Ｄシーケンスの左側に生成すべきか、それとも右側に生成すべきかを指示するフラグを含む、請求項１に記載の方法。
【請求項９】
前記３Ｄ変換情報は、
前記３Ｄ変換情報に明示的な一組の３Ｄパラメータが含まれるか又はデフォルトの一組の３Ｄパラメータを使用すべきかを指示する第１のフラグと、ここで、前記明示的な一組の３Ｄパラメータは、前記第１のフラグが設定されている場合に、前記３Ｄ変換情報に含まれ、
前記第１の２Ｄシーケンスの第２のビューを前記第１の２Ｄシーケンスの左側に生成すべきか、それとも右側に生成すべきかを指示する第２のフラグと、
を含む、請求項１に記載の方法。
【請求項１０】
ビデオ復号器においてビデオフレームの第１の２次元（２Ｄ）シーケンスを受信することと、
前記ビデオ復号器において前記第１の２Ｄシーケンスとともに３次元（３Ｄ）変換情報を受信することと、ここで、前記３Ｄ変換情報は、前記３Ｄ変換情報が、前記第１の２Ｄシーケンスと共に３Ｄビデオデータの立体視ビデオシーケンスを定義する第２の２Ｄシーケンスを生成するために前記第１の２Ｄシーケンスの前記ビデオフレームの各々に適用できる一組のパラメータを含むように、前記第１の２Ｄシーケンスから導出され、前記３Ｄ変換情報は、クロップ領域が前記３Ｄビデオデータから除去されるべきかどうかを識別するフラグを含み、前記クロップ領域を定義する情報は前記フラグが設定されている場合に、前記３Ｄ変換情報に含まれる、
前記ビデオ復号器を用いて前記第１の２Ｄシーケンスを復号することと、
前記第１の２Ｄシーケンス及び前記３Ｄ変換情報に基づいて、前記ビデオ復号器を用いて前記３Ｄビデオデータを生成することと、
を含む方法。
【請求項１１】
前記第１の２Ｄシーケンスは、ＩＴＵ Ｈ．２６４ビデオ符号化規格に従って符号化され、
前記３Ｄ変換情報は、前記ＩＴＵ Ｈ．２６４ビデオ符号化規格によってサポートされる１つまたは複数の補助拡張情報（ＳＥＩ）メッセージ中で受信される、請求項１０に記載の方法。
【請求項１２】
前記３Ｄ変換情報は、前記３Ｄビデオデータを生成するために前記第１の２Ｄシーケンスに適用される３Ｄ変換プロセスを識別する情報を含む、請求項１０に記載の方法。
【請求項１３】
前記３Ｄ変換情報は、カメラ・パラメータと、前記第１の２Ｄシーケンスのキャプチャに関連する値とを含む、請求項１０に記載の方法。
【請求項１４】
前記３Ｄ変換情報は、
前記第１の２Ｄシーケンスをキャプチャしたカメラに関連する焦点距離を示す焦点距離値と、
前記３Ｄビデオデータにおける最小深度を指定する近深度値と、
前記３Ｄビデオデータにおける最大深度を指定する遠深度値と、
前記３Ｄビデオデータに関連する２つのカメラ間の仮定距離を定量化する平行移動値と、
を含む、請求項１０に記載の方法。
【請求項１５】
前記３Ｄ変換情報は、
前記第１の２Ｄシーケンスをキャプチャしたカメラに関連する焦点距離を示す焦点距離値と、
前記３Ｄビデオデータにおける最小深度を指定する近深度値と、
前記３Ｄビデオデータにおける最大深度を指定する遠深度値と、
前記３Ｄビデオデータに関連する２つのカメラ間の仮定距離を定量化する平行移動値と、
収束画像平面から前記２つのカメラまでの仮定距離を定量化する収束深度値と、
を含む、請求項１０に記載の方法。
【請求項１６】
前記３Ｄ変換情報は、３Ｄ変換情報に明示的な一組の３Ｄパラメータが含まれるか又はデフォルトの一組の３Ｄパラメータを使用すべきかを指示するフラグを含む、請求項１０に記載の方法。
【請求項１７】
前記３Ｄ変換情報は、前記第１の２Ｄシーケンスの第２のビューを前記第１の２Ｄシーケンスの左側に生成すべきか、それとも右側に生成すべきかを指示するフラグを含む、請求項１０に記載の方法。
【請求項１８】
前記３Ｄ変換情報は、
前記３Ｄ変換情報に明示的な一組の３Ｄパラメータが含まれるか又はデフォルトの一組の３Ｄパラメータを使用すべきかを指示する第１のフラグと、ここで、前記明示的な一組の３Ｄパラメータは、前記第１のフラグが設定されている場合に、前記３Ｄ変換情報に含まれ、
前記第１の２Ｄシーケンスの第２のビューを前記第１の２Ｄシーケンスの左側に生成すべきか、それとも右側に生成すべきかを指示する第２のフラグと、
を含む、請求項１０に記載の方法。
【請求項１９】
受信デバイスが前記３Ｄビデオデータを生成及びレンダリングできるかどうかを決定することと、
前記受信デバイスが前記３Ｄビデオデータを生成及びレンダリングできる場合に、前記第１の２Ｄシーケンス及び前記３Ｄ変換情報に基づいて、前記３Ｄビデオデータを生成し、レンダリングすることと、
前記受信デバイスが前記３Ｄビデオデータを生成又はレンダリングできない場合に、前記第１の２Ｄシーケンスをレンダリングすることと、
を更に含む請求項１０に記載の方法。
【請求項２０】
ビデオフレームの第１の２次元（２Ｄ）シーケンスを符号化し、前記第１の２Ｄシーケンスとともに３次元（３Ｄ）変換情報を符号化するビデオ符号器を含み、
前記３Ｄ変換情報は、前記３Ｄ変換情報が、前記第１の２Ｄシーケンスと共に３Ｄビデオデータの立体視ビデオシーケンスを定義する第２の２Ｄシーケンスを生成するために前記第１の２Ｄシーケンス内の前記ビデオフレームの各々に適用できる一組のパラメータを含むように、前記第１の２Ｄシーケンスから導出され、それにより、前記３Ｄビデオデータの立体視ビデオシーケンスは、前記３Ｄ変換情報および前記第１の２Ｄシーケンスから導出され、前記３Ｄ変換情報は、クロップ領域が前記３Ｄビデオデータから除去されるべきかどうかを識別するフラグを含み、前記クロップ領域を定義する情報は、前記フラグが設定されている場合に前記３Ｄ変換情報に含まれる、装置。
【請求項２１】
前記符号化された第１の２Ｄシーケンスを前記３Ｄ変換情報とともに他のデバイスに伝達する送信機を更に含む請求項２０に記載の装置。
【請求項２２】
前記ビデオ符号器は、ＩＴＵ Ｈ．２６４ビデオ符号化規格に従って、前記第１の２Ｄシーケンスを符号化し、前記ＩＴＵ Ｈ．２６４ビデオ符号化規格によってサポートされる１つまたは複数の補助拡張情報（ＳＥＩ）メッセージ内に前記３Ｄ変換情報を符号化する、請求項２０に記載の装置。
【請求項２３】
前記３Ｄ変換情報は、前記３Ｄビデオデータを生成するために前記第１の２Ｄシーケンスに適用される３Ｄ変換プロセスを識別する情報を含む、請求項２０に記載の装置。
【請求項２４】
前記３Ｄ変換情報は、カメラ・パラメータと、前記第１の２Ｄシーケンスのキャプチャに関連する値とを含む、請求項２０に記載の装置。
【請求項２５】
前記３Ｄ変換情報は、
前記第１の２Ｄシーケンスをキャプチャしたカメラに関連する焦点距離を示す焦点距離値と、
前記３Ｄビデオデータにおける最小深度を指定する近深度値と、
前記３Ｄビデオデータにおける最大深度を指定する遠深度値と、
前記３Ｄビデオデータに関連する２つのカメラ間の仮定距離を定量化する平行移動値と、
を含む、請求項２０に記載の装置。
【請求項２６】
前記３Ｄ変換情報は、
前記第１の２Ｄシーケンスをキャプチャしたカメラに関連する焦点距離を示す焦点距離値と、
前記３Ｄビデオデータにおける最小深度を指定する近深度値と、
前記３Ｄビデオデータにおける最大深度を指定する遠深度値と、
前記３Ｄビデオデータに関連する２つのカメラ間の仮定距離を定量化する平行移動値と、
収束画像平面から前記２つのカメラまでの仮定距離を定量化する収束深度値と、
を含む、請求項２０に記載の装置。
【請求項２７】
前記３Ｄ変換情報は、３Ｄ変換情報に明示的な一組の３Ｄパラメータが含まれるか又はデフォルトの一組の３Ｄパラメータを使用すべきかを指示するフラグを含む、請求項２０に記載の装置。
【請求項２８】
前記３Ｄ変換情報は、前記第１の２Ｄシーケンスの第２のビューを前記第１の２Ｄシーケンスの左側に生成すべきか、それとも右側に生成すべきかを指示するフラグを含む、請求項２０に記載の装置。
【請求項２９】
前記３Ｄ変換情報は、
前記３Ｄ変換情報に明示的な一組の３Ｄパラメータが含まれるか又はデフォルトの一組の３Ｄパラメータを使用すべきかを指示する第１のフラグと、ここで、前記明示的な一組の３Ｄパラメータは、前記第１のフラグが設定されている場合に、前記３Ｄ変換情報に含まれ、
前記第１の２Ｄシーケンスの第２のビューを前記第１の２Ｄシーケンスの左側に生成すべきか、それとも右側に生成すべきかを指示する第２のフラグと、
を含む、請求項２０に記載の装置。
【請求項３０】
集積回路と、
マイクロプロセッサと、
前記ビデオ符号器を含む無線通信デバイスと、
のうちの少なくとも一つを含む請求項２０に記載の装置。
【請求項３１】
ビデオ復号器を含む装置であって、
前記ビデオ復号器は、
ビデオフレームからなる第１の２次元（２Ｄ）シーケンスを受信し、
前記第１の２Ｄシーケンスとともに３次元（３Ｄ）変換情報を受信し、ここで、前記３Ｄ変換情報は、前記３Ｄ変換情報が、前記第１の２Ｄシーケンスと共に３Ｄビデオデータの立体視ビデオシーケンスを定義する第２の２Ｄシーケンスを生成するために前記第１の２Ｄシーケンスの前記ビデオフレームの各々に適用できる一組のパラメータを含むように、前記第１の２Ｄシーケンスから導出され、
前記第１の２Ｄシーケンスを復号し、
前記第１の２Ｄシーケンス及び前記３Ｄ変換情報に基づいて、前記３Ｄビデオデータを生成し、ここで、前記３Ｄ変換情報は、クロップ領域が前記３Ｄビデオデータから除去されるべきかどうかを識別するフラグを含み、前記クロップ領域を定義する情報は前記フラグが設定されている場合に、前記３Ｄ変換情報に含まれる、装置。
【請求項３２】
前記第１の２Ｄシーケンスは、ＩＴＵ Ｈ．２６４ビデオ符号化規格に従って符号化され、
前記３Ｄ変換情報は、前記ＩＴＵ Ｈ．２６４ビデオ符号化規格によってサポートされる１つまたは複数の補助拡張情報（ＳＥＩ）メッセージ中で受信される、請求項３１に記載の装置。
【請求項３３】
前記３Ｄ変換情報は、前記３Ｄビデオデータを生成するために前記第１の２Ｄシーケンスに適用する３Ｄ変換プロセスを識別する情報を含む、請求項３１に記載の装置。
【請求項３４】
前記３Ｄ変換情報は、カメラ・パラメータと、前記第１の２Ｄシーケンスのキャプチャに関連する値とを含む、請求項３１に記載の装置。
【請求項３５】
前記３Ｄ変換情報は、
前記第１の２Ｄシーケンスをキャプチャしたカメラに関連する焦点距離を示す焦点距離値と、
前記３Ｄビデオデータにおける最小深度を指定する近深度値と、
前記３Ｄビデオデータにおける最大深度を指定する遠深度値と、
前記３Ｄビデオデータに関連する２つのカメラ間の仮定距離を定量化する平行移動値と、
を含む、請求項３１に記載の装置。
【請求項３６】
前記３Ｄ変換情報は、
前記第１の２Ｄシーケンスをキャプチャしたカメラに関連する焦点距離を示す焦点距離値と、
前記３Ｄビデオデータにおける最小深度を指定する近深度値と、
前記３Ｄビデオデータにおける最大深度を指定する遠深度値と、
前記３Ｄビデオデータに関連する２つのカメラ間の仮定距離を定量化する平行移動値と、
収束画像平面から前記２つのカメラまでの仮定距離を定量化する収束深度値と、
を含む、請求項３１に記載の装置。
【請求項３７】
前記３Ｄ変換情報は、３Ｄ変換情報に明示的な一組の３Ｄパラメータが含まれるか又はデフォルトの一組の３Ｄパラメータを使用すべきかを指示するフラグを含む、請求項３１に記載の装置。
【請求項３８】
前記３Ｄ変換情報は、前記第１の２Ｄシーケンスの第２のビューを前記第１の２Ｄシーケンスの左側に生成すべきか、それとも右側に生成すべきかを指示するフラグを含む、請求項３１に記載の装置。
【請求項３９】
前記３Ｄ変換情報は、
前記３Ｄ変換情報に明示的な一組の３Ｄパラメータが含まれるか又はデフォルトの一組の３Ｄパラメータを使用すべきかを指示する第１のフラグと、前記明示的な一組の３Ｄパラメータは、前記第１のフラグが設定されている場合に、前記３Ｄ変換情報に含まれ、
前記第１の２Ｄシーケンスの第２のビューを前記第１の２Ｄシーケンスの左側に生成すべきか、それとも右側に生成すべきかを指示する第２のフラグと、
を含む、請求項３１に記載の装置。
【請求項４０】
前記装置は、ディスプレイを含み、
前記装置は、
前記３Ｄビデオデータを生成及びレンダリングできるかどうかを決定し、
前記装置が前記３Ｄビデオデータを生成及びレンダリングできる場合に、前記第１の２Ｄシーケンス及び前記３Ｄ変換情報に基づいて、前記３Ｄビデオデータを生成し、前記ディスプレイ上にレンダリングし、
前記装置が前記３Ｄビデオデータを生成又はレンダリングできない場合に、前記第１の２Ｄシーケンスを前記ディスプレイ上にレンダリングする、
請求項３１に記載の装置。
【請求項４１】
集積回路と、
マイクロプロセッサと、
前記ビデオ復号器を含む無線通信デバイスと
のうちの少なくとも一つを含む請求項３１に記載の装置。
【請求項４２】
ビデオ符号器においてビデオフレームの第１の２次元（２Ｄ）シーケンスを符号化するための手段と、
前記ビデオ符号器を用いて３次元（３Ｄ）変換情報を符号化するための手段と、ここで、前記３Ｄ変換情報は、前記３Ｄ変換情報が、前記第１の２Ｄシーケンスと共に３Ｄビデオデータの立体視ビデオシーケンスを定義する第２の２Ｄシーケンスを生成するために前記第１の２Ｄシーケンスの前記ビデオフレームの各々に適用できる一組のパラメータを含むように、前記第１の２Ｄシーケンスから導出され、それにより、前記３Ｄビデオデータの立体視ビデオシーケンスは前記３Ｄ変換情報および前記第１の２Ｄシーケンスから導出可能であり、前記３Ｄ変換情報は、クロップ領域が前記３Ｄビデオデータから除去されるべきかどうかを識別するフラグを含み、前記クロップ領域を定義する情報は前記フラグが設定されている場合に、前記３Ｄ変換情報に含まれる、
前記符号化された第１の２Ｄシーケンスを前記符号化されたパラメータとともに伝達するための手段と、
を含むデバイス。
【請求項４３】
ビデオ復号器においてビデオフレームの第１の２次元（２Ｄ）シーケンスを受け取るための手段と、
前記ビデオ復号器において前記第１の２Ｄシーケンスとともに３次元（３Ｄ）変換情報を受け取るための手段と、ここで、前記３Ｄ変換情報は、前記３Ｄ変換情報が、前記第１の２Ｄシーケンスと共に３Ｄビデオデータの立体視ビデオシーケンスを定義する第２の２Ｄシーケンスを生成するために前記第１の２Ｄシーケンスの前記ビデオフレームの各々に適用できる一組のパラメータを含むように、前記第１の２Ｄシーケンスから導出され、前記３Ｄ変換情報は、クロップ領域が前記３Ｄビデオデータから除去されるべきかどうかを識別するフラグを含み、前記クロップ領域を定義する情報は前記フラグが設定されている場合に、前記３Ｄ変換情報に含まれる、
前記第１の２Ｄシーケンスを復号するための手段と、
前記第１の２Ｄシーケンス及び前記３Ｄ変換情報に基づいて、前記３Ｄビデオデータを生成するための手段と、
を含むデバイス。
【請求項４４】
命令を記憶する非一時的なコンピュータ読み取り可能な記憶媒体であって、
前記命令は、プロセッサによって実行された場合に、前記プロセッサに、
ビデオフレームの第１の２次元（２Ｄ）シーケンスを符号化させ、
３次元（３Ｄ）変換情報を符号化させ、
前記３Ｄ変換情報は、前記３Ｄ変換情報が、前記第１の２Ｄシーケンスと共に３Ｄビデオデータの立体視ビデオシーケンスを定義する第２の２Ｄシーケンスを生成するために前記第１の２Ｄシーケンスの前記ビデオフレームの各々に適用できる一組のパラメータを含むように、前記第１の２Ｄシーケンスから導出され、それにより、前記３Ｄビデオデータの立体視ビデオシーケンスは前記３Ｄ変換情報および前記第１の２Ｄシーケンスから導出可能であり、前記３Ｄ変換情報は、クロップ領域が前記３Ｄビデオデータから除去されるべきかどうかを識別するフラグを含み、前記クロップ領域を定義する情報は前記フラグが設定されている場合に、前記３Ｄ変換情報に含まれる、
非一時的なコンピュータ読み取り可能な記憶媒体。
【請求項４５】
命令を記憶する非一時的なコンピュータ読み取り可能な記憶媒体であって、
前記命令は、プロセッサによって実行された場合に、前記プロセッサに、
ビデオフレームからなる第１の２次元（２Ｄ）シーケンスを受信させ、及び、前記第１の２Ｄシーケンスとともに３次元（３Ｄ）変換情報を受信させ、ここで、前記３Ｄ変換情報は、前記３Ｄ変換情報が、前記第１の２Ｄシーケンスと共に３Ｄビデオデータの立体視ビデオシーケンスを定義する第２の２Ｄシーケンスを生成するために前記第１の２Ｄシーケンス内の前記ビデオフレームの各々に適用できる一組のパラメータを含むように、前記第１の２Ｄシーケンスから導出され、前記３Ｄ変換情報は、クロップ領域が前記３Ｄビデオデータから除去されるべきかどうかを識別するフラグを含み、前記クロップ領域を定義する情報は、前記フラグが設定されている場合に前記３Ｄ変換情報に含まれ、
前記第１の２Ｄシーケンスを復号させ、
前記第１の２Ｄシーケンス及び前記３Ｄ変換情報に基づいて、前記３Ｄビデオデータを生成させる、
非一時的なコンピュータ読み取り可能な記憶媒体。
【請求項４６】
３Ｄビデオデータを生成するために３Ｄ変換情報をビデオフレームの第１の２Ｄシーケンスに適用することを含み、
ここで、前記３Ｄ変換情報は、前記３Ｄ変換情報が、前記第１の２Ｄシーケンスと共に前記３Ｄビデオデータの立体視ビデオシーケンスを定義する第２の２Ｄシーケンスを生成するために前記第１の２Ｄシーケンスの各ビデオフレームに適用できる一組のパラメータを含むように、前記第１の２Ｄシーケンスから導出され、それにより、前記３Ｄビデオデータの立体視ビデオシーケンスは前記３Ｄ変換情報および前記第１の２Ｄシーケンスから導出可能であり、前記３Ｄ変換情報は、クロップ領域が前記３Ｄビデオデータから除去されるべきかどうかを識別するフラグを含み、前記クロップ領域を定義する情報は、前記フラグが設定されている場合に前記３Ｄ変換情報に含まれる、方法。